(57)【特許請求の範囲】
【請求項１】
持ち手（８）を備える容器本体（１）と蓋体（２）と、からなるピッチャーにおいて、一方のピッチャーの上に他方のピッチャーを上下逆さまに且つ水平方向に180度回転させて積み重ねる際に接し合う蓋体の上面（12）には、相互に係合して安定保持するための少なくとも一組の凸部（４）と凹部（５）を備えていることを特徴とするピッチャー。
【請求項２】
前記蓋体の上面（12）には、開口部（６）と膨らみ部（９）を備え、開口部（６）と膨らみ部（９）の外周縁部には、一方に凸部（４）、他方には凹部（５）が円弧状に備えてあることを特徴とする請求項１記載のピッチャー。
【請求項３】
容器本体（１）の持ち手（８）には、前記開口部（６）の相対向する端縁部（11）に係合する一組の凹溝（７）を、持ち手（８）の上下外側に備え、持ち手（８）で蓋体（２）を安定保持し得るようにしたことを特徴とする請求項２記載のピッチャー。
【発明の詳細な説明】
【０００１】
【発明の属する技術分野】
本発明は、ビールなどを入れておく容器本体と蓋体とからなるピッチャーに関するものである。
【０００２】
【従来の技術】
従来、ピッチャーなどの大きな液体用容器は、狭い場所などに平面上に並べると、場所をとり、そのため、置く場所がなくなってしまう問題点があった。また、蓋をとって容器本体を、同型の容器本体中に入れて上に重ねる場合には、蓋体を取り外しておく必要があるため、蓋体を置く場所に困り、容器本体と別の場所に置かねばならず、どこかに落としたり紛失してしまう問題点もあった。
【０００３】
【発明が解決しようとする課題】
そこで本発明は、ピッチャーを置くスペースを減らし、置き場所に困ることもなく、収納に便利なピッチャーを開発することを目的とする。
【０００４】
【課題を解決するための手段】
本発明のうち請求項１記載の発明によるピッチャーは、持ち手を備える容器本体と蓋体と、からなるピッチャーにおいて、一方のピッチャーの上に他方のピッチャーを上下逆さまに且つ水平方向に180度回転させて積み重ねる際に接し合う蓋体の上面には、相互に係合して安定保持するための少なくとも一組の凸部と凹部を備えていることを特徴とする。このように構成すれば、蓋体同士が安定して嵌合されるので、蓋体を備えたままピッチャーを逆さまにして積み上げることができ、置くスペースを減らすことができる。
【０００５】
なお、蓋体に備える凸部と凹部は問わないが、両方共に円弧状に備え、凸条と凹条に形成することで、蓋体の外観を損なわないまま、しっかり安定して嵌合固定できる。また、相互に嵌合する凸部と凹部が、連続した凸条、凹条でなくとも各々の点で形成され、点線状に構成されていても良い。
【０００６】
本発明のうち請求項２記載の発明によるピッチャーは、蓋体の上面には、開口部と膨らみ部を備え、開口部と膨らみ部の外周縁部には、一方に凸部、他方には凹部が円弧状に備えてあることを特徴とする。このように構成することで、同型の蓋体を逆さまにして嵌合する際に、膨らみ部をもう一方の蓋体の開口部に嵌入させ、開口部にもう一方の蓋体の膨らみ部を嵌入させることでより一層密着して蓋体同士を嵌合でき、一層安定して合着させることができる。
【０００７】
本発明のうち請求項３記載の発明によるピッチャーは、容器本体の持ち手には、前記開口部の相対向する端縁部に係合する一組の凹溝を、持ち手の上下外側に備え、持ち手で蓋体を安定保持し得るようにしたことを特徴とする。このように構成すれば、持ち手の凹溝は、持ち手の上部と下部外側にそれぞれ設けることで、蓋体開口部の相対向する端縁部をスナップ的に掛止させて、蓋体を持ち手に嵌めて取り付けることができ、安定して固定させることができる。ピッチャーを、順に積み重ねる場合など、持ち手に蓋体を掛けて固定できるので、蓋体を容器本体と離れた場所に置く必要がなく、一組にして保管することができる。
【０００８】
本発明によるピッチャーの用途は問わないが、ビール用ピッチャーに特に好適に使用することができる。また、蓋体の材質は、スナップ的に係合可能な弾性を有しているものであれば何でもよく、例えばプラスティック等が挙げられる。容器本体の材質は、例えばガラスやプラスティックなどが挙げられるが何でも良い。また、蓋体の開口部は半円の円弧状に形成し、最も内径が長い相対向する端縁部を平行な直線に形成し、容器本体の持ち手外側の面にぴったりと係合できるようにするのが望ましい。
【０００９】
【発明の実施の形態】
以下、図面に基づいて本発明を詳細に説明する。
【００１０】
まず、図１は本発明によるピッチャーの収納状態を示す図である。持ち手８を備えた1.8Ｌ容プラスティック製ピッチャー１にプラスティック製蓋体２が被せてあり、その蓋体２上に、同型のピッチャー１に被せた蓋体２が逆さまの状態で、且つ水平方向に180度回転させた状態で載置してあり、垂直方向に安定して置かれてある。
【００１１】
図２は蓋体２の斜視図である。蓋体上面12には、平面部14を除いて、上方に盛り上がった膨らみ部９と開口部６、凸条４と凹条５が設けてある。なお、蓋体２にはビールなどの泡を切るための泡切り部10が備えてある。
【００１２】
図３はピッチャー１に蓋体２を被せた状態を上方から見た上面図である。蓋体上面12の泡切り部10を除いて、上周縁部13から内側に平面部14を残して、蓋体中心側の、泡切り部10側に半円形の膨らみ部９、持ち手８側に開口部６が半分ずつ備えてあって、膨らみ部９の外周縁には泡切り部10を除いて円弧状に凹条５が備えてあり、開口部６の周縁部のうち、膨らみ部側の相対向する端縁部11が平行な直線に形成されて持ち手８にスナップ的に嵌め込まれるようになっている部分を除いて、凹条５と同心円の円周上にあって円弧状に凸条４が備えてある。
【００１３】
次に、図４に、蓋体の上に別の蓋体を逆さまに載置して嵌合させる手順を示す。図４では、図３の蓋体２のＡ−Ａ線で断面して示す断面図で説明する。第１蓋体２ａには、凸条４ａ、開口部６ａ、膨らみ部９ａ、凹条５ａが備えてある。蓋体２ａの上方から逆さま且つ水平方向に180度回転させた状態で別の第２蓋体２ｂを接近させ、第１蓋体２ａの凸条４ａ及び凹条５ａに、第２蓋体２ｂの凹条５ｂ及び凸条４ｂを嵌合させる。同時に、第１蓋体２ａの開口部６ａには第２蓋体２ｂの膨らみ部９ｂが、第１蓋体２ａの膨らみ部９ａは第２蓋体２ｂの開口部６ｂに嵌入される。
【００１４】
図５は、第１蓋体２ａと第２蓋体２ｂとが確実に嵌合された状態を示す図である。凸条と凹条、開口部と膨らみ部が相互に嵌入することで確実に固定されている。
【００１５】
次に、持ち手に蓋体を嵌め込む操作について説明する。図６は蓋体を外した容器本体の持ち手に蓋体を取り付ける操作を上方から見て示す図である。容器本体１の持ち手８に、蓋体２の開口部６を接近させ、開口部６内に持ち手８を嵌入させる。図７はその操作を容器本体１の側方から見た図である。持ち手８の上部と下部に凹溝７が設けてあり、蓋体２の開口部６の、弾性を有する端縁部11が凹溝７にスナップ的に掛止するようになっている。
【００１６】
蓋体２が持ち手８に掛止した状態を、容器本体上方から見た図を図８に、容器本体側方から見た図を図９に示す。持ち手８の凹溝７に、蓋体２の開口部６の端縁部11が掛止して固定されている。図10は、図９のＢ−Ｂ断面図である。開口部６の端縁部11が持ち手８の凹溝７に嵌合して、蓋体２が持ち手８に掛着されている。
【００１７】
図11は、持ち手に蓋体を掛着させた状態で、容器本体を順に積み重ねた状態を示す図である。図11のように、容器本体１を他の容器本体１内に入れて積み重ねる場合、蓋体２を取り外しておく必要があるが、このように持ち手８に掛着させておくことで、蓋体２と容器本体１とを一緒に保管できる。また、持ち手８下部が、容器本体１の底部より少し上方位置で、容器本体１に取り付けられているために、容器本体１が直下の容器本体に、より深く入ることができるので、積み重ねても安定した状態に保つことができる。また、重心が上に上がるため、重いピッチャーを持った際や傾けて注ぐ際に軽く感じられ、取り扱いを楽にすることができる。
【００１８】
なお、本実施形態では、開口部側に凸条、膨らみ部側に凹条を設けた例を挙げたが、凸条と凹条は逆でも良い。
【００１９】
【発明の効果】
本発明のうち請求項１及び２記載の発明によれば、蓋体を逆さまにして別の蓋体に載置できる構造とすることで、ピッチャーを、容器本体に蓋をしたまま、逆さまにして上下に積み重ねることができ、設置スペースを消費することなく、蓋をして塵や埃、虫などが入らない状態で保存することができる。しかも、的確に嵌合できる構造とすることで、振動にも強く、安定して保存でき、且つ蓋体同士の離脱も容易である。
【００２０】
本発明のうち請求項３記載の発明によれば、ピッチャーの持ち手に、蓋体を掛着させることができるため、容器本体と蓋体をセットにして保存でき、蓋体を外した状態で、液体用容器をすぐ下の容器本体内に入れて積み重ねることができ、設置スペースを一層少なくすることができる。また、蓋体を別に保管して紛失する心配もなく、一体化して保管できるため利便性が非常に良い。
【図面の簡単な説明】
【図１】本発明によるピッチャーの収納状態を示す図である。
【図２】本発明による蓋体の斜視図である。
【図３】本発明による容器本体に被せた蓋体の上面図である。
【図４】本発明による蓋体の嵌合操作を示す図である。
【図５】本発明による蓋体が嵌合した状態を示す図である。
【図６】本発明による蓋体を容器本体に掛着させる操作を示す上面図である。
【図７】本発明による蓋体を容器本体に掛着させる操作を示す側面図である。
【図８】本発明による蓋体を容器本体に掛着させた状態を示す上面図である。
【図９】本発明による蓋体を容器本体に掛着させた状態を示す側面図である。
【図１０】図９のＢ−Ｂ線断面図である。
【図１１】本発明によるピッチャーの他の収納状態を示す図である。
【符号の説明】
１  容器本体
２  蓋体
４  凸条（凸部）
５  凹条（凹部）
６  開口部
７  凹溝
８  持ち手
９  膨らみ部
11  端縁部
12  蓋体上面
【図１】
0003847609.tif 000002
【図２】
0003847609.tif 000003
【図３】
0003847609.tif 000004
【図４】
0003847609.tif 000005
【図５】
0003847609.tif 000006
【図６】
0003847609.tif 000007
【図７】
0003847609.tif 000008
【図８】
0003847609.tif 000009
【図９】
0003847609.tif 000010
【図１０】
0003847609.tif 000011
【図１１】
0003847609.tif 000012